(57)【要約】【課題】枠体Ａに対して扉Ｂを開閉させるべく枠体Ａと扉Ｂとに跨って装着されている上下２つの蝶番Ｃ，Ｃ間にできる隙間をなくし、扉Ｂを閉めた時枠体Ａとの間で手指を詰めることがないようにする。【解決手段】枠体Ａと扉Ｂとに定着させ得る２枚の羽根１ａ，１ｂを備えている。両羽根１ａ，１ｂには、同一軸線上において上下互い違いの位置にくる軸筒２ａ，２ｂが形成されている。同一軸線上に在らしめた各軸筒２ａ，２ｂ内にスリーブ３を挿通して２枚の羽根１ａ，１ｂを枢着する。この枢着部の上下両端には、扉Ｂを枠体Ａに取り付けるための上下２つの蝶番の軸孔に差し込むことができる突ピン４を備えている。この突ピン４を枠体Ａと扉Ｂとに跨って装着されている上下２つの蝶番Ｃ，Ｃの軸孔ｃ，ｃに差し込むと、前記隙間を覆い隠すことができ、指詰を防止できる。【選択図】　図３
2004068448.tif 000002
【特許請求の範囲】
【請求項１】
枠体Ａに対して扉Ｂを開閉させるべく枠体Ａと扉Ｂとに跨って装着されている上下２つの蝶番Ｃ，Ｃ間に配置されるものであって、前記枠体Ａと扉Ｂとに定着させ得る２枚の羽根１ａ，１ｂを備え、両羽根１ａ，１ｂには同一軸線上において上下互い違いの位置にくる軸筒２ａ，２ｂを形成し、同一軸線上に在らしめた各軸筒２ａ，２ｂ内にスリーブ３を挿通して２枚の羽根１ａ，１ｂを枢着し、この枢着部の上下両端に、扉Ｂを枠体Ａに取り付けるための上下２つの蝶番Ｃ，Ｃの軸孔ｃ，ｃに差し込むことができる突ピンを備えたことを特徴とする指詰防止蝶番。
【請求項２】
２枚の羽根１ａ，１ｂが軟質樹脂で形成されていることを特徴とする請求項１記載の指詰防止蝶番。
【請求項３】
２枚の羽根１ａ，１ｂを枠体Ａと扉Ｂとに定着させるためのビスｅを挿通するビス孔９ａ，９ｂの位置を、上下方向にずらせて形成したことを特徴とする請求項１又は２記載の指詰防止蝶番。
【請求項４】
ビス孔９ａ，９ｂが長孔になっており、これを介して羽根１ａ，１ｂにねじ込んだビスｅを完全に固定させないで緩めた状態で使用することを特徴とする請求項３記載の指詰防止蝶番。
【発明の詳細な説明】
【０００１】
【発明の属する技術分野】
本発明は、枠体に対して扉を開閉させるべく枠体と扉とに跨って装着されている上下２つの蝶番間に配置することによって、扉を閉めた時枠体との間で手指を詰めることがないようにするための蝶番に関するものである。
【０００２】
【従来の技術】
枠体Ａに対して扉Ｂを開閉させるべく、枠体Ａと扉Ｂとに跨って上下に２つの蝶番Ｃ，Ｃが装着されている。この場合においては、図１１（ａ），（ｂ）においてＬ，Ｌ’で示す領域では上下の蝶番Ｃ，Ｃ間に隙間ができることになる。
【０００３】
【発明が解決しようとする課題】
そのために、扉Ｂを閉めた時枠体Ａとの間で手指を詰める事態が生じる。特に、幼児が扉Ｂを開け閉めする場合には、思いがけない事故が起こりやすい。
【０００４】
【課題を解決するための手段】
このような事故が起こらないようにするために、本発明では、枠体Ａに対して扉Ｂを開閉させるべく枠体Ａと扉Ｂとに跨って装着されている上下２つの蝶番Ｃ，Ｃ間に、指詰防止蝶番Ｄを配置する。この指詰防止蝶番Ｄは、前記枠体Ａと扉Ｂとに定着させ得る２枚の羽根１ａ，１ｂを備えている。両羽根１ａ，１ｂには、同一軸線上において上下互い違いの位置にくる軸筒２ａ，２ｂが形成されており、同一軸線上に在らしめた各軸筒２ａ，２ｂ内にスリーブ３を挿通して２枚の羽根１ａ，１ｂを枢着する。そして、この枢着部の上下両端には、扉Ｂを枠体Ａに取り付けるための上下２つの蝶番Ｃ，Ｃの軸孔ｃ，ｃに差し込むことができる突ピンを備えている。
【０００５】
この蝶番Ｄの枢着部に位置する２つの突ピンを、枠体Ａと扉Ｂとに跨って装着されている上下２つの蝶番Ｃ，Ｃの軸孔ｃ，ｃに差し込むと、上下２つの蝶番Ｃ，Ｃ間に本指詰防止蝶番Ｄを配置することができる。そして、図１１（ａ），（ｂ）においてＬ，Ｌ’で示す領域で現れる上下の蝶番Ｃ，Ｃ間の隙間を、この蝶番Ｄで覆い隠すことができる。従って、扉Ｂを閉めた時枠体Ａとの間で手指を詰めることがない。
なお、上下２つの蝶番Ｃ，Ｃ間に配置されている本指詰防止蝶番Ｄの２枚の羽根１ａ，１ｂを、枠体Ａと扉Ｂとに別個に定着しておいた場合には、各羽根１ａ，１ｂと枠体Ａ及び扉Ｂとの間からは絶対に手指を差し込むことができないので、指詰めを完全に防止できる。
【０００６】
２枚の羽根１ａ，１ｂを軟質樹脂で形成することが望ましい。この場合には、本指詰防止蝶番Ｄを撓ませることができるので、上下２つの蝶番Ｃ，Ｃの軸孔ｃ，ｃに突ピンを差し込んで両蝶番Ｃ，Ｃ間に本指詰防止蝶番Ｄを配置するのに何ら支障がなく、また、扉Ｂの開閉に応じて２枚の羽根１ａ，１ｂにたとえたわみやトルクなどの無理な力が掛かっても軟質樹脂素材がそれを吸収するから、扉Ｂの開閉に支障がないのみならず、２枚の羽根１ａ，１ｂが破損しにくく、さらに、枠体Ａと扉Ｂの面との間隔（いわゆるチリ、図５、図１０において、図面符号ｗとＷとで示す）を調整するべく両蝶番Ｃ，Ｃの取付位置を調整した場合でも、問題なく使用できる。
特に、枠体Ａ側に定着すべき羽根１ａに上下方向に走る屈曲部７ａを形成しておくと、扉Ｂの開閉に応じてこの羽根１ａに掛かる無理な力をこの屈曲部７ａで吸収することができる。
【０００７】
図２（ｂ）及び図３に示すように、２枚の羽根１ａ，１ｂを枠体Ａと扉Ｂとに定着させるためのビスｅを挿通するビス孔９ａ，９ｂの位置を、上下方向にずらせて形成しておくとよい。このようにすると、扉Ｂを閉めてもこのビス穴９ａ，９ｂを介して２枚の羽根１ａ，１ｂにねじ込んだビスｅ，ｅの頭同士がはち合わせするのを防止できる。
【０００８】
また、図２（ｂ）及び図３に示すように、ビス孔９ａ，９ｂが長孔になっており、これを介して羽根１ａ，１ｂにねじ込んだビスｅ，ｅを完全に固定させないで緩めた状態で使用することが望ましい。この場合には、扉Ｂの開閉に応じて２枚の羽根１ａ，１ｂに掛かる無理な力をこの長孔で吸収することができる。
【０００９】
【発明の実施の形態】
本発明の好ましい実施の形態を、図面に基いて詳細に説明する。
本発明に係る指詰防止蝶番Ｄは、枠体Ａに対して扉Ｂを開閉させるべく枠体Ａと扉Ｂとに跨って装着されている上下２つの蝶番Ｃ，Ｃ間に取り付けるものである。例えば、３つの蝶番Ｃ，Ｃを用いて扉Ｂが枠体Ａに取り付けられている場合には、上段と中段の蝶番Ｃ，Ｃ間及び中段と下段の蝶番Ｃ，Ｃ間にそれぞれ本指詰防止蝶番Ｄを取り付ける。
なお、蝶番Ｃ，Ｃの２枚の羽根ａ，ｂは複数のビスｄ，ｄにより枠体Ａと扉Ｂに定着され、この蝶番Ｃ，Ｃによって扉Ｂを枠体Ａに開閉自在に取り付けることができる。
【００１０】
本指詰防止蝶番Ｄには、前記枠体Ａと扉Ｂとに定着させ得る２枚の羽根１ａ，１ｂが備えられている。両羽根１ａ，１ｂには、同一軸線上において上下互い違いの位置にくる軸筒２ａ，２ｂが複数個形成されている。そして、各軸筒２ａ，２ｂを同一軸線上において上下互い違いの位置に在らしめた上で各軸筒２ａ，２ｂ内に上下に長い１本のスリーブ３を挿通することにより、このスリーブ３で２枚の羽根１ａ，１ｂを連結するとともに枢着することができる。両羽根１ａ，１ｂならびに各軸筒２ａ，２ｂを含む本指詰防止蝶番Ｄは、全て軟質樹脂で形成されている。そして、この枢着部の上下両端である軸筒（図面に示す場合には、扉Ｂに定着させ得る羽根１ｂの上下両端部に形成されている軸筒２ｂ）には、扉Ｂを枠体Ａに取り付けるための上下２つの蝶番Ｃ，Ｃの軸孔ｃ，ｃに差し込むことができる突ピンを取り付ける。
そして、扉Ｂを枠体Ａに取り付ける上下２つの蝶番Ｃ，Ｃの軸孔ｃ，ｃに両突ピンを差し込むことにより、上下２つの蝶番Ｃ，Ｃ間に本指詰防止蝶番Ｄを取り付けることができる。
【００１１】
図２及び図３に示す場合には、突ピン４，４がコイル状のばね８で弾撥的に保持されている。そして、上下両端に位置する前記羽根１ｂの軸筒２ｂ，２ｂに、保持スリーブ５，５が差し込まれ、両保持スリーブ５，５で前記突ピン４，４を保持するとともに、両保持スリーブ５，５内にコイル状のばね８をそれぞれ嵌め込んで両ばね８，８で各突ピン４，４を弾撥的に保持している。また、前記両保持スリーブ５，５と前記スリーブ３とは連結部材６で同一軸線上に連結されている。
また、図７及び図８に示す場合には、突ピン４’，４’が固定された状態で保持されている。そして、上下両端に位置する前記羽根１ｂの軸筒２ｂ，２ｂに、突ピン４’，４’を上下両側に突出するごとく差し込むとともに、両突ピン４’，４’の内端を前記スリーブ３で直接保持して両突ピン４’，４’を固定された状態に保持している。
【００１２】
図２、図３に示すように、突ピン４，４がコイル状のばね８で弾撥的に保持されている場合には、突ピン４，４をばね８の弾撥力に逆らって押し込んだ上で本指詰防止蝶番Ｄを上下２つの蝶番Ｃ，Ｃ間に位置させると、ばね８の弾撥力によりピン４，４が自動的に上下２つの蝶番Ｃ，Ｃの軸孔ｃ，ｃに差し込まれる。
また、図７、図８に示すように、突ピン４’，４’が固定された状態で保持されている場合には、本指詰防止蝶番Ｄを強制的に撓ませて上下の間隔を狭めた上で、両突ピン４’，４’を上下２つの蝶番Ｃ，Ｃの軸孔ｃ，ｃに差し込んで手を離すと、上下２つの蝶番Ｃ，Ｃ間に本指詰防止蝶番Ｄを容易かつ簡単に配置することができる。
【００１３】
２枚の羽根１ａ，１ｂが軟質樹脂で形成されていると、上下２つの蝶番Ｃ，Ｃ間に本指詰防止蝶番Ｄを配置するのに何ら支障がなく、また、扉Ｂの開閉に応じて２枚の羽根１ａ，１ｂにたとえたわみやトルクなどの無理な力が掛かっても軟質樹脂素材がそれを吸収するから、扉Ｂの開閉に支障がないのみならず、２枚の羽根１ａ，１ｂが破損しにくい。さらに、図５、図１０に示すように、枠体Ａと扉Ｂの面との間隔（いわゆるチリ）を調整するべく両蝶番Ｃ，Ｃの取付位置を調整した場合でも、調整前における本指詰防止蝶番Ｄの軸芯と調整後の蝶番Ｃ，Ｃの軸芯とのずれを軟質樹脂で形成されている２枚の羽根１ａ，１ｂの変形により吸収できるので、問題なく使用できる。
図６、図７、図９、図１０に示す場合には、枠体Ａ側に定着すべき羽根１ａに上下方向に走る屈曲部７ａを形成してある。このようにすると、扉Ｂの開閉に応じてこの羽根１ａに掛かる無理な力をこの屈曲部７ａで吸収することができる。
【００１４】
図２、図３に示す場合においては、左右２枚の羽根１ａ，１ｂに、それらを枠体Ａ、扉Ｂに定着させるためのビスｅを挿通するビス孔９ａ，９ｂが形成されている。ただし、左右のビス孔９ａ，９ｂの位置は、上下方向にずらせて形成してある。その理由は、扉を閉めてもこのビス孔９ａ，９ｂを介して２枚の羽根１ａ，１ｂにねじ込んだビスｅ，ｅの頭同士が枠体Ａ側と扉Ｂ側とではち合わせしないようにするためである。
また、図７、図８に示す場合においては、左右２枚の羽根１ａ，１ｂにはビス穴は形成されていない。その理由は、枠体Ａに羽根１ａを、また、扉Ｂに羽根１ｂを定着するに当って、ビスを用いないで両面テープで定着するようにしたからである。もっとも、図２、図３に示す場合と同じように、ビス孔９ａ，９ｂを形成し、ビスを用いて定着してもよい。
【００１５】
また、図２（ｂ）、図３に示すように、ビス孔９ａ，９ｂは長孔になっており、これを介して羽根１ａ，１ｂにねじ込んだビスｅ，ｅを完全に固定させないで緩めた状態で使用することが望ましい。この場合には、扉Ｂの開閉に応じて２枚の羽根１ａ，１ｂに掛かる無理な力をこの長孔で吸収することができる。
【００１６】
図４、図９に示すように、扉Ｂを閉じたときの裏側に当たる枠体Ａ側に、指詰防止ラバー１０を取り付けておくとよい。このラバー１０が取り付けられていると、扉Ｂとラバー１０との間にたとえ手指を詰めたとしても、ラバー１０の弾力性でじかに手指を詰めた場合に比べてはるかにけがは少ない。
なお、図３、図８において、図面符号１１は、枠体Ａに対して扉Ｂを開閉させるべく枠体Ａと扉Ｂとに跨って装着されている蝶番Ｃの軸ピン、図面符号１２は、この軸ピン１１を保持するためのブッシュ、図面符号１３は、枠体Ａと扉Ｂとに跨って装着されている蝶番Ｃの軸孔の上端部に差し込んだ盲ピンである。また、図８において、図面符号１４は、枠体Ａと扉Ｂとに跨って装着されている蝶番Ｃの軸孔の下端部にねじ込んだ止めピンである。
【００１７】
【発明の効果】
請求項１記載の発明によれば、枠体Ａと扉Ｂとに跨って装着されている上下２つの蝶番Ｃ，Ｃ間に本指防止蝶番を配置することによって、その間にできる隙間を覆い隠すことができるので、扉Ｂを閉めた時枠体Ａとの間で手指を詰めることがないという効果がある。
【００１８】
請求項２記載の発明によれば、上下２つの蝶番Ｃ，Ｃの軸孔ｃ，ｃに突ピンを差し込んで両蝶番Ｃ，Ｃ間に本指詰防止蝶番を配置するのに何ら支障がなく、また、扉Ｂの開閉に応じて２枚の羽根１ａ，１ｂにたとえたわみやトルクなどの無理な力が掛かっても、扉Ｂの開閉に支障がないのみならず、２枚の羽根１ａ，１ｂが破損しにくく、さらに、枠体Ａと扉Ｂの面との間隔（いわゆるチリ）を調整するべく両蝶番Ｃ，Ｃの取付位置を調整した場合でも、問題なく使用できるという効果がある。
特に、枠体Ａ側に定着すべき羽根１ａに上下方向に走る屈曲部７ａを形成しておくと、扉Ｂの開閉に応じてこの羽根１ａに掛かる無理な力をこの屈曲部７ａで吸収することができる。
【００１９】
請求項３記載の発明によれば、扉Ｂを閉めてもこのビス穴９ａ，９ｂを介して２枚の羽根１ａ，１ｂにねじ込んだビスｅ，ｅの頭同士がはち合わせするのを防止できる効果がある。
【００２０】
請求項４記載の発明によれば、扉Ｂの開閉に応じて２枚の羽根１ａ，１ｂに掛かる無理な力をこの長孔で吸収することができる効果がある。
【図面の簡単な説明】
【図１】本発明による指詰防止蝶番の一例（第一の実施の形態）を示す図で、（ａ）は左右２枚の羽根を組み合わせた状態を示す正面図、（ｂ）は左右２枚の羽根を組み合わせる前の状態を示す正面図、（ｃ）は左右２枚の羽根を組み合わせた状態を示す拡大平面図である。
【図２】図１に示す指詰防止蝶番の詳細を示す図で、（ａ）は拡大平面図、（ｂ）は拡大断面図である。
【図３】図１に示す指詰防止蝶番の使用状態を示す立面図で、一部を切断して示す。
【図４】枠体と扉とに跨って装着されている蝶番と本指詰防止蝶番との位置関係を示す拡大平面図で、（ａ）は扉を開けた状態を、（ｂ）は扉を閉じた状態を示す。
【図５】枠体と扉の面との間隔を調整した場合において、調整前における本指詰防止蝶番の軸芯と調整後の蝶番の軸芯とのずれを軟質樹脂で形成されている２枚の羽根の変形により吸収できることを説明するための拡大平面図で、（ａ）は枠体と扉の面との間隔が小さくなるように調整した場合を、（ｂ）は枠体と扉の面との間隔が大きくなるように調整した場合を示す。
【図６】本発明による指詰防止蝶番の別の一例（第二の実施の形態）を示す図で、（ａ）は左右２枚の羽根を組み合わせた状態を示す正面図、（ｂ）は左右２枚の羽根を組み合わせる前の状態を示す正面図、（ｃ）は左右２枚の羽根を組み合わせた状態を示す拡大平面図である。
【図７】図６に示す指詰防止蝶番の詳細を示す図で、（ａ）は拡大平面図、（ｂ）は拡大断面図である。
【図８】図６に示す指詰防止蝶番の使用状態を示す立面図で、一部を切断して示す。
【図９】枠体と扉とに跨って装着されている蝶番と本指詰防止蝶番との位置関係を示す拡大平面図で、（ａ）は扉を開けた状態を、（ｂ）は扉を閉じた状態を示す。
【図１０】枠体と扉の面との間隔を調整した場合において、調整前における本指詰防止蝶番の軸芯と調整後の蝶番の軸芯とのずれを軟質樹脂で形成されている２枚の羽根の変形により吸収できることを説明するための拡大平面図で、（ａ）は枠体と扉の面との間隔が小さくなるように調整した場合を、（ｂ）は枠体と扉の面との間隔が大きくなるように調整した場合を示す。
【図１１】従来の場合の欠点を説明するための概略図で、（ａ）は立面図、（ｂ）は拡大平面図である。
１ａ，１ｂ…羽根、２ａ，２ｂ…軸筒、３…スリーブ、４，４’…突ピン、７ａ…屈曲部、９ａ，９ｂ…ビス孔、Ａ…枠体、Ｂ…扉、Ｃ…蝶番、ｃ…軸孔、Ｄ…指詰防止蝶番、ｄ，ｅ…ビス。
【図１】
2004068448.tif 000003
【図２】
2004068448.tif 000004
【図３】
2004068448.tif 000005
【図４】
2004068448.tif 000006
【図５】
2004068448.tif 000007
【図６】
2004068448.tif 000008
【図７】
2004068448.tif 000009
【図８】
2004068448.tif 000010
【図９】
2004068448.tif 000011
【図１０】
2004068448.tif 000012
【図１１】
2004068448.tif 000013